(57)【要約】  専門技術者向けヘアアイロンにおいて、部分（Ｕ）は、互いに蝶着され、載置用の開位置と作業用の閉位置間で移動可能な、下部支持部材（２）および上部支持部材（３）により規定される。相補面板（２０、３０、３００、３３３）は、支持部材（２、３）に、着脱可能に締着されている。これらのプレート内には電熱抵抗器（Ｒ）が挿入され、これらのプレート（２０、３０、３００、３３３）のうち少なくとも一方は供給パイプに接続された穿孔部分を備え、供給パイプは蒸気発生機（Ｇ）に接続されていて、穿孔部分に蒸気を供給し、支持部材（２、３）に締着したプレートの間にはさんだ頭髪の束に湿り気を与えるようになっている。【選択図】図１、図５
2009539446.tif 000002
【特許請求の範囲】
【請求項１】
載置用の開位置と作業用の閉位置間を移動する、互いに蝶着された２個の支持部材（２、３）、すなわち下部支持部材（２）および上部支持部材（３）により規定される部分（Ｕ）と、
前記下部支持部材（２）および前記上部支持部材（３）の該当する自由端に着脱可能に締着された、相補面板（２０、３０、３００、３３３）、すなわち下部プレートおよび上部プレートそれぞれと、
前記面板の間に挟まれた頭髪の束を安定させるための、前記面板の各プレートに関連付けられている加熱手段（Ｒ）と、
を特徴とする専門技術者向けヘアアイロン。
【請求項２】
少なくとも１つの前記面板（２０、３０、３００、３３３）に作製された穿孔部分と、
前記穿孔部分に蒸気を供給して、前記支持部材（２、３）に締着された前記面板の間に挟まれた頭髪の束に湿り気を与えるための、前記穿孔部分と蒸気発生機（Ｇ）間に介装された供給手段（Ｃ）と、
をさらに含む、請求項１に記載の専門技術者向けヘアアイロン。
【請求項３】
前記プレート（２０、３０、３０３、３３３）の各々が、対応する前記支持部材（２、３）と弾性的に締着される下部部分（２９）と連結される、請求項１または２に記載の専門技術者向けヘアアイロン。
【請求項４】
前記下部部分（２９）は、前記下部部分（２９）の上面（Ｓｓ）の縁部に沿って垂直対称平面（α）に対して対称に形成され、かつ長手方向の縁部（２９０）を外側に向って折り曲げるような方法で形成されて、対応する長手方向の隣接部（Ｄ）の境界を定めるようになっている、第１および第２の長手方向のガイド（２９ａ、２９ｂ）を備えており、
前記下部プレートおよび前記上部プレート（２０、３０、３０３、３３３）は、前記下部（２９）の長手方向のガイド（２９ａ、２９ｂ）と噛み合う各フランジ（２８ａ、２８ｂ）と、対応する前記加熱手段（Ｒ）を受けるための長手方向の座部（２８０）とを含む、
請求項３に記載の専門技術者向けヘアアイロン。
【請求項５】
前記穿孔部分は、少なくとも前記上部プレート（３０）の外面の中央に作られた溝（Ｎ）へと摺動的に挿入された中空体（３２）を含み、
前記中空体（３２）は、前記蒸気発生機（Ｇ）により発生した蒸気を受けるための、また受けた蒸気を前記中空体（３２）の上面に作られた一連の穴（Ｆ）から放出するための、後端部に作られた開口部（３３）を持ち、前記支持部材（２、３）の間に固定された頭髪の束に湿り気を与えるようにした、
請求項２〜４のいずれか１項に記載の専門技術者向けヘアアイロン。
【請求項６】
横方向のガイドスロット（３０４）は、中央平面（□）に対して垂直かつ対称である前記溝（Ｎ）から伸びており、一連の穴（Ｑ）を介して上面と連通しており、また前記スロット（３０４）に摺動的に挿入されている中空体（３２）のガイド部材（３２１）において、スペース内部の中空体（３２）を前記横方向スロット（３０４）と連通させている、
請求項４または５に記載の専門技術者向けヘアアイロン。
【請求項７】
前記下部プレート及び上部プレート（２０、３０）の外面（ｆｅ）の前記長手方向の縁部（Ｂ１、Ｂ２）に丸味が付けられている、請求項４に記載の専門技術者向けヘアアイロン。
【請求項８】
前記下部プレート及び上部プレート（２０、３０、３０３、３３３）の外面（ｆｅ）の前記長手方向の縁部（Ｂ１、Ｂ２）が外側に向って先細になっている、請求項４に記載の専門技術者向けヘアアイロン。
【請求項９】
前記下部部分（２９）が、ねじ手段と介装された弾性手段（Ｅ）により、前記下部部分（２９）を前記支持部材（２、３）の中央部（Ｐｃ）に作られた凹み（Ｗ）の内面へと締着するための垂直穴（Ｌ）を備えており、前記支持部材（２、３）の前記長手方向の縁部（Ｂ）と前記長手方向の隣接部（Ｄ）の下部エリアとの間で距離（ｄ）を規定するようになっている、請求項４に記載の専門技術者向けヘアアイロン。
【請求項１０】
前記プレート（２０、３０、３０３、３３３）を前記下部部分（２９）に対して着脱可能とするため、閉鎖部材（Ｔ）が前記支持部材（２、３）の前記外端部（Ｐｅ）に着脱可能に締着された、請求項１〜９のいずれか１項に記載の専門技術者向けヘアアイロン。
【請求項１１】
前記加熱手段（Ｒ）の一部または全部を作動させる作動手段（８）が装備されている、請求項１〜１０のいずれか１項に記載の専門技術者向けヘアアイロン。
【請求項１２】
前記部分（Ｕ）を作業用構成にセットしたときに、前記蒸気発生機（Ｇ）により発生させた蒸気を前記中空体（３２）へと流入させるための前記支持部材（２、３）の蝶番エリアに配置されたスイッチ装置を備えた、前記蒸気発生機（Ｇ）を作動させるための制御手段（Ｚ）が、前記支持部材（２、３）のうち１つに関連付けられている、請求項１〜５のいずれか１項に記載の専門技術者向けヘアアイロン。
【請求項１３】
パイプは、前記接続手段（Ｃ）の内部に配置されており、また、前記蒸気発生機（Ｇ）により発生した蒸気を前記中空体（３２）へと運ぶための、前記支持部材のうち１つの中に作られ、前記上部支持部材（３）に作られた出口（Ｈ）を介して前記中空体（３２）と連通しているチューブ（３００）へと通じる入口（３９）に接続されている、請求項５に記載の専門技術者向けヘアアイロン。
【請求項１４】
前記プレート（２０、３０、３０３、３３３）の温度を測定するため、温度センサ（Ｔ）が前記支持部材のうち１つに関連付けられている、請求項１または２に記載の専門技術者向けヘアアイロン。
【請求項１５】
前記部分（Ｕ）に低電圧が供給されている、請求項１または２に記載の専門技術者向けヘアアイロン。
【発明の詳細な説明】
【技術分野】
【０００１】
本発明は、頭髪をストレートヘアにするための専門技術者向けヘアアイロンに関する。本発明は特に、巻き毛や縮毛をストレートヘアにするため、あるいは１つまたはそれ以上の頭髪の束で正弦ウエーブ、三角ウエーブ、方形ウエーブ等を形作るために使用するヘアアイロンに関する。
【背景技術】
【０００２】
ヘアアイロンは、巻き毛や縮毛をストレートヘアにするため、あるいは１つまたはそれ以上の頭髪の束で正弦ウエーブ、三角ウエーブ、方形ウエーブ等、特定のパターンを形作るために、美容師が使用するツールである。
【０００３】
アイロンのプレートは、互いに蝶着された２枚の上下の支持部材により形成されており、これは、プレートを作業用にセットする、すなわちその閉位置にセットするため、対応するハンドルをもちいることにより操作する。
【０００４】
支持部材は、個々の面板、すなわち下部プレートと上部プレートそれぞれに作られた相補する溝またはガイドと連結するための、例えば長手方向に伸びたガイドまたは溝を有する。
【０００５】
これらのプレートは鏡像形状を持ち、互換可能であり、またそれらの接触面は頭髪をストレートヘアにするために平板状であるか、あるいは、長手方向または横方向の伸張にそって特定のウエーブを形作る相補的な形状でパターン付けされており、所望のヘアスタイルを得ることができるようになっている。
【０００６】
さらに、このアイロンは、上述の下部プレート及び上部プレートに熱を加えるための加熱手段を有する。
【０００７】
プレートをアイロン上にセットした後、加熱手段を作動させ、頭髪の束を下部プレート上に置き、これらのプレートの反対側の面同士を噛み合わせることにより、アイロンを操作する。
【０００８】
平板状またはパターン付けされた形状のプレートを熱とともにもちいることで、頭髪をストレートヘアにしたり、あるいは頭髪の束に所望のウエーブを付けることができる。
【０００９】
既知の別種のヘアアイロンには、支持部材に接続された小型タンクが装備されている。このタンクは、支持部材に作られた適切なダクトを介してプレートの片方と連通しており、このプレートには全面に複数の穴があけられている。使用者は、このタイプのアイロンを従来のアイロンと同じ方法で使用し、さらに、適当な制御により、タンクに収容されている水の液滴を加熱されたプレートに送ることができる：この水はプレートの高温面に触れて蒸気化し、このプレートにあけられた複数の穴から放出される。
【００１０】
ただし、このタイプのアイロンにはいくつか欠点がある。
【００１１】
この寸法は従来のアイロンに対して大きいため、扱いづらいことである。
【００１２】
別の欠点は、水の蒸気化はプレートの温度に依存するため、このシステムを使用すると、蒸気の温度を調節することができないことから生じる。
【００１３】
アイロンの使用中、当該のプレートにより放出される蒸気により、顧客の頭皮に火傷を負わせる恐れがある。
【００１４】
このアイロンの別の欠点は、タンクの容量のために長時間の使用が可能でないため、タンクに絶えず供給を行う必要があり、かなりの時間の浪費を伴うことから生じる。
【発明の概要】
【発明が解決しようとする課題】
【００１５】
本発明の目的は、先行技術の欠点を克服する専門技術者向けアイロンを提案することである。
【００１６】
本発明の別の目的は、１回の作業のみで、頭髪をストレートヘアにし、毛先のウエーブを安定させる（毛先を下向きまたは上向きにする）ことができるような方法で形作られたアイロンを提案することである。
【００１７】
本発明のさらなる目的の１つとして、熟練していない使用者でも使用できる専門技術者向けアイロンを提案することがある。
【００１８】
本発明のさらなる目的には、特に扱いやすいヘアアイロンを提案することがある。
【００１９】
さらなる目的として、性能に対して低コストで得られるアイロンを提案することもある。
【課題を解決するための手段】
【００２０】
上述の諸目的は、以下を含めることを特徴とする専門技術者向けヘアアイロンにより、後述の請求項の内容に従い、本発明により達成される：
載置用の開位置と作業用の閉位置間を移動する、互いに蝶着された２個の支持部材、すなわち下部支持部材および上部支持部材により規定される部分、
前記下部支持部材および前記上部支持部材の該当する自由端に着脱可能に締着された、相補面板、すなわち下部プレートおよび上部プレートそれぞれ、
前記面板の間に挟まれた頭髪の束を安定させるための、前記面板の各プレートに関連付けられている加熱手段。
【００２１】
添付図面と関連付けて、本発明の特性の特徴を以下に提示する：
【図面の簡単な説明】
【００２２】
【図１】本発明により提案されるヘアアイロンの縮尺による斜視図である。
【図２】図１の細部Ｘの倍尺による、上部横方向斜視図である。
【図３】図１の細部Ｘの倍尺による、下部横方向斜視図である。
【図４】本発明により提案されるヘアアイロンの支持部材の一部の斜視図である。
【図５】図３のＶ−Ｖ線に沿った拡大横断面図である。
【図５Ａ】図３のＶ−Ｖ線に沿った横断面図の一部を示す；提案するアイロンの操作状態を提示している。
【図６】図３の細部Ｋの倍尺による、分解組立斜視図である。
【図７】本発明により提案されるヘアアイロン支持部材の倍尺による、分解組立斜視図である。
【図８】図３の細部Ｋの第１の実施形態の、倍尺による、横断面図である。
【図９】図３の細部Ｋの第２の実施形態の、倍尺による、横断面図である。
【発明を実施するための形態】
【００２３】
添付図面を参照すると、参照番号１は専門技術者向けヘアアイロンを示したものである。
【００２４】
アイロン１は、部分Ｕと、アイロンを使用しないときに部分Ｕを載置しておく支持体９、を含めた既知の蒸気発生機Ｇとで形成されている。
【００２５】
蒸気発生機Ｇは、供給手段Ｃにより、部分Ｕの入口３９に接続されている。
【００２６】
部分Ｕは、２つの支持部材２、３、すなわち、互いに蝶着されている下部部材２と上部部材３で構成されており、蝶番により接続されているため、下部部材２と上部部材３は、載置用の開位置と作業用の閉位置とを取ることができる。
【００２７】
各々の部材２、３（図４）は、蝶番エリア近傍の後端部Ｐｐ、中央部Ｐｃ、および外端部Ｐｅを含む。
【００２８】
後端部Ｐｐは、中空であり、この後端部Ｐｐの垂直の前部部分Ｉに形成されている出口Ｈ（図７）へと通じている、図４に一部図示されているチューブ３００を備えている。
【００２９】
中央部Ｐｃは、凹みＷを持ち、厚みは後端部より薄い。外端部Ｐｅは、例えばスナップ手段またはねじ手段（図示せず）等、既知の手段により固定される、閉鎖部材またはプラグＴ（図７）を着脱可能に受け止めるような方法で形成されている：外端部Ｐｅの上面が中央部Ｐｃ近傍の上面と同一平面上になる。
【００３０】
中央部Ｐｃ（図５Ａ）に接続されているグループＹは、後述するように、中央部Ｐｃに締着された下部部分２９（図４、７）と、下部部分２９と結合されたプレート２０、３０により規定される。
【００３１】
図４、５に示すように、下部部分２９は、下部部分２９の上面Ｓｓの縁部に沿って、垂直対称平面□（図５）に対して対称に形成され、かつ長手方向の縁部２９０を外側に向って折り曲げるような方法で形成されて、対応する長手方向の隣接部Ｄの境界を定めるようになっている、第１および第２の長手方向のガイド２９ａおよび２９ｂを備えている。
【００３２】
前記下部部分２９は、弾性手段Ｅの介装により、下部部分２９を中央部Ｐｃの凹みＷの内面へと締着する既知のねじ手段Ｖを受け止めるために、例えば縁部２９０の近くに開けた垂直穴Ｌを備えている：  距離“ｄ”は、前記支持部材２、３の前記長手方向の縁部Ｂと、前記長手方向の隣接部Ｄの下部エリアとの間で境界が定められる。
【００３３】
プレート２０、３０の下面ｆｉは、下部部分２９のガイド２９ａ、２９ｂと摺動的に連結されるフランジ２８ａ、２８ｂとを備えており、一方、プレート外面ｆｅの長手方向の縁部Ｂ１、Ｂ２は丸味が付けられている。
【００３４】
プレート２０、３０の内部部分は、その中に加熱手段Ｒが挿入される、長手方向の座部２８０、例えば４本を備えている。
【００３５】
上部プレート３０（図５、６）は、その中に中空体３２が挿入されている、外面に対して中心に配置されている溝も備えており、既知の連結手段により固定される。
【００３６】
中空体３２は、後部から開口部３３を通してアクセス可能であり、上面に開けられた一連の穴Ｆを介して外部と連通している。
【００３７】
中空体３２の前面は、対応する支持部材２、３の外端部Ｐｅにある相補座部（図示せず）と連結される例えば固定手段３４を備えている。
【００３８】
第１および第２の実施形態（図８、９）では、上部プレート３０３、３３３と同様、下部プレート（図示せず）の長手方向の縁部Ｂ３、Ｂ４も先細になっている。
【００３９】
第２の実施形態（図９）では、横方向のガイドスロット３０４は、中央平面□に対して垂直かつ対称である、上面３３３の溝Ｎから伸びており、さらなる一連の穴Ｑを介して上面と連通している：  スロット３０４は、上部プレートの全長に沿って伸びている。
【００４０】
スロット３０４に摺動的に挿入されている中空体３２のガイド部材３２１は、スペース内部の中空体３２を、適当な開口部１００を介して横方向スロット３０４と連通させている。
【００４１】
前述のように、上部プレート３０にも、穴Ｑと同様、横方向のガイドスロット３０４を開けることができることは理解されるであろう。
【００４２】
加熱手段Ｒ、例えば抵抗器は、例えば、下部支持部材２（図３）に接続され、温度計８０に結合された、既知の作動手段８により個別に作動することができ、温度計８０は支持部材の一方、例えば、上部支持部材３（図２）に関連付けられている。
【００４３】
まず最初に、アイロン１の使用には、プレート２０、３０、３０３、３３３を対応する支持部材２、３（図7）にセットすることが含まれる：  各部材について、プラグＴを外し、各プレートのフランジ２８ａ、２８ｂを下部部分２９の長手方向のガイド２９ａ、２９ｂに挿入して、各プレートの背面が各支持部材２、３の後端部Ｐｐの垂直壁Ｉと隣接させ、最終的にはプラグＴをその位置でリセットする。
【００４４】
この構成で、加熱手段Ｒを、既知の方法で低電圧が供給される、垂直壁Ｉに作られている、対応するプラグＡに接続されており、上部プレート３０、３０３、３３３の開口部３３は上部支持部材３の出口Ｈと連通しており、チューブ３００により入口３９に接続されるようになっている。
【００４５】
作業状態では、加熱手段Ｒが給電され、蒸気発生機Ｇが、既知の制御手段Ｚ（図２）、例えば上部支持部材３に接続されているスイッチにより作動されて、蒸気発生機で蒸気が発生される。
【００４６】
使用者は頭髪の束を下部プレート２０の上面に置き、支持部材を閉じて、上部プレート３０、３０３、３３３を下部プレート２０上に置かれた頭髪の束と接触させる。
【００４７】
加熱手段の作用のため、プレート２０、３０、３０３、３３３は、それらの温度により、使用者の手作業とともに、上部および下部のプレート２０、３０、３０３、３３３の間に介装された頭髪の束がストレートヘアとなるような方法で予熱される。
【００４８】
プレート２０、３０の長手方向の縁部の特定の曲線により、頭髪の束の毛先を所望の形に形作ることができるか、あるいは、別の場合には、下部および上部プレート３０３、３３３の特定の先細りにより、頭髪の束を頭髪の生え際までストレートヘアにすることができる。
【００４９】
部材を閉じることで、支持部材２、３、３０３、３３３の蝶番エリアに配置されている、マイクロスイッチ等の既知の装置（図示せず）も作動され、蒸気発生機Ｇで作られた蒸気が部分Ｕまで達することになる。
【００５０】
そのため、蒸気発生機Ｇで作られた蒸気の流れは、供給手段Ｃの内部のパイプを通り、さらにチューブ３００を通って、中空体３２へと流入し、穴Ｆから放出される。第２の実施形態では、蒸気は穴Ｑにも流れ込み、下部および上部プレート２０、３０、３０３、３３３の間に挟まれた頭髪の束に湿り気を与えることになる。
【００５１】
この専門技術者向けヘアアイロンは、部分Ｕと関連付けられている蒸気発生機Ｇを使用するため、整髪作業の間中、部分Ｕに蒸気を供給することで、頭髪の束をストレートヘアにするのを加速し、また促進させるため、特に利点がある。
【００５２】
蒸気発生機Ｇに収容する、蒸気化される水の量に、香りづけしたエッセンスを加えることもできる。この水が蒸気化すると、プレートにもエッセンスが運ばれ、中空体３２の穴Ｆから、そして穴Ｑがある場合には穴Ｑからも、放出され、そうでない場合には、頭髪のキューティクルにさらに潤いを与えるため、他の製品を蒸気と組み合わせることで、頭髪のストレートヘアにすることおよび／または整髪を促進し、頭髪をより柔らかに、よりふわふわにすることもできる。
【００５３】
蒸気の放出が、中空体２の穴Ｆの障害物、例えば湯垢により遮断された場合には、簡単な動作により、当該のプレートを分解し、そこから中空体３２を取り外して、これを置き換えることができる。
【００５４】
さらに、中空体３２が対応するプレートの中央部のみを被装していることは、まず第一にプレート間に挟まれた頭髪の束に湿り気を与えることができるために、整髪作業の間、顧客の頭皮に火傷を負わせる可能性が排除されるため、利点がある。
【００５５】
蒸発器Ｇの内部で蒸気を生成するのは、既知の装置により水温をチェックすることができるため、利点がある。
【００５６】
プレートの上部部分の縁部が曲線状であるため、このアイロンは、頭髪をストレートヘアにするのと同様、毛先を所望の形に形作るためにも、使用することができる：  毛先はプレート縁部の形状をなぞって形付けされるため、所望の曲がりを付けることができる（毛先を内側または外側に向けて曲げたストレートヘア）。
【００５７】
さらに、丸味付けされた縁部の曲線により、頭髪の束に、アイロンを閉じて使用することによる、同じ縁部上でのひどい折り曲げ跡が付くといった事態を避けることができる。
【００５８】
下部および上部プレートの縁部は外側に向って先細になっているため、提案するアイロンはさらにさまざまな方法で使用することができる。
【００５９】
このようなプレートでは、縁部が先細になっていることにより、使用中頭皮の火傷を避けながら、アイロン部分を頭皮の間近まで近付けることができるため、頭髪の束を生え際までストレートにすることができる、というのは、支持部材同士を閉じると、プレート同士がくちばしのような形となって互いに近づくためである：  頭皮の間近にくるプレート部分は非常に小さい。
【００６０】
本発明により提案されるヘアアイロンは、多少なりとも際立ってウエーブの付いた乾燥した髪でも使用することができる：  上部プレートから放出される蒸気のため、プレートの間に挟んだ頭髪の束に湿り気を与えることができ、かつこれをストレートにし易くさせることができ、また極度に乾燥した髪の場合には、キューティクルが潤おうため、髪の傷みを防ぐことができる。
【００６１】
さらに、ストレートヘアにする髪の質に応じて、プレートの全加熱手段を作動することで、ヘアスタイルの安定化を容易にし、かつ加速するため、プレートの温度を上げることができる。
【００６２】
蒸気発生機Ｇ内で蒸気を発生させるための加熱抵抗器の作動手段８および接続手段Ｚが部分Ｕと関連付けられていることは、使用者がストレートにする髪質に応じて部分Ｕを容易に操作することを可能とするため、利点である。
【００６３】
別の利点は、下部部分２９に弾性手段Ｅが当たるようになっていることから得られる、というのは、これにより、アイロン１は、蝶番エリア近くの髪の量が支持部材端部近くの髪の量より多い／少ない場合にも、頭髪を完璧にストレートにすることができるからである。
【００６４】
こうした状況では、距離“ｄ”は変動する；実際には、蝶番エリア近くの髪の量が支持部材端部近くの髪の量より多い場合、アイロンの操作中、蝶番エリア近くの距離“ｄ”は支持部材端部近くの距離“ｄ”より多くなる。
【００６５】
提案するアイロンの有望な特性の特徴は、上述のことから明らかであると思われる；これは、既知の部材を使用する場合にすら、導入部分の陳述で挙げた目的全てを得ることができ、提案するアイロンに必要とされる信頼性、安全性、扱いやすさ、および耐久性を与えることができ、頭髪へのアイロン処理に対して革新的な解決策を提案する。
【００６６】
アイロンの安全性は、部分Ｕに既知の方法で低電圧が供給されることにより強調される。
【００６７】
部分Ｕと関連付けられているプレートを、プレートのうち少なくとも一方が、蒸気発生機Ｇにより作られた蒸気を放出するための穴の明いた部分をもつような方法で形成された、表面がパターン付けされた形状のプレートと交換することができることは明らかである。
【００６８】
また、下部プレートと同様、上部プレートにも中空体３２を備えることができ、また適当な装置をもちいることにより、上部プレートでも蒸気の流れを両方の支持部材まで運ぶことができるようにして、蒸気が両方のプレートから放出されるようにすることで、プレート間に挟んだ頭髪の束に、かなりの度合いで、短縮した時間内に、湿り気を与えることができることも明らかである。
【００６９】
また、適当な技法装置をもちいることにより、部分Ｕの蒸気発生機Ｇからの接続を切って、部分Ｕを従来のヘアアイロンとして使用することも可能であり、あらゆる利点がこの構造からも、また別々のプレート加熱システムからも得られることも、指摘しておこう。
【００７０】
上述の事柄は制限を目的としない例として記載しているため、実際に使用し得るバリエーションは、前述の記載ならびに請求項の保護範囲に依然入ることが了解されるはずである。
【図１】
2009539446.tif 000003
【図２】
2009539446.tif 000004
【図３】
2009539446.tif 000005
【図４】
2009539446.tif 000006
【図５】
2009539446.tif 000007
【図５Ａ】
2009539446.tif 000008
【図６】
2009539446.tif 000009
【図７】
2009539446.tif 000010
【図８】
2009539446.tif 000011
【図９】
2009539446.tif 000012
【国際調査報告】
2009539446.tif 000013
2009539446.tif 000014
2009539446.tif 000015
2009539446.tif 000016
2009539446.tif 000017